(57)【要約】【課題】  アイドラプーリ支持部材を筐体に固定する際、締結部材を介して伝わるモーメント力によりアイドラプーリが架張方向に移動することを抑制する。【解決手段】  アイドラプーリ１０４は、支持部材１０５上の支軸１０６へ回動自在に取り付ける。支持部材１０５は、支持部材１０５に設けた摺動穴１０７の部分で締結部材１０８を介して図示しない筐体等へ固定する。固定する際は、加圧部材１０９によりタイミングベルト１０３に対して適正な初期張力を与える。支持部材１０５は筐体等への接触面Ａを有し、接触面Ａを指などで押して支持部材１０５を筐体等に対して加圧しながら固定し、締結部材１０８の締め付けの際に発生するモーメント力Ｍから締結部材１０８がＺ方向、すなわち紙面垂直方向へ移動することを抑制する。【選択図】        図１
2007079191.tif 000002
【特許請求の範囲】
【請求項１】
複写機、プリンタ等の画像形成装置用の駆動装置であって、駆動モータと回転体との駆動連結をタイミングベルトにより行う駆動装置において、前記タイミングベルトへ適正な初期張力を付与し、筐体に固定するアイドラプーリ支持部材に、前記アイドラプーリ移動方向に対して垂直な接触面を設け、該接触面を前記筐体に対して押圧しながら前記アイドラプーリ支持部材を前記筐体に固定可能としたことを特徴とする画像形成装置用の駆動装置。
【請求項２】
請求項１に記載の画像形成装置用の駆動装置において、前記接触面が前記アイドラプーリ支持部材の両翼に広がる平面状の部位であることを特徴とする画像形成装置用の駆動装置。
【請求項３】
請求項１に記載の画像形成装置用の駆動装置において、前記アイドラプーリ支持部材及び前記筐体に前記アイドラプーリ移動方向に平行に沿って伸び、かつ前記アイドラプーリ固定方向に垂直に立設した接触面を設け、前記接触面を前記筐体に対して押圧しながら前記アイドラプーリ支持部材を前記筐体に固定可能としたことを特徴とする画像形成装置用の駆動装置。
【請求項４】
請求項２に記載の画像形成装置用の駆動装置において、前記アイドラプーリを支持部材を介して前記筐体に取り付ける構造であり、前記前記アイドラプーリを前記支持部材の背面に取り付けるものとし、前記支持部材に前記アイドラプーリを取り付ける締結部材の固定方向に垂直な接触面を構成し、該接触面を前記支持部材へ押圧しながら固定可能としたことを特徴とする画像形成装置用の駆動装置。
【請求項５】
請求項１から４のいずれかの画像形成装置用の駆動装置を用いたことを特徴とする画像形成装置。
【請求項６】
請求項５の画像形成装置において、前記駆動装置の駆動対象が感光体等の像担持体であることを特徴とする画像形成装置。
【発明の詳細な説明】
【技術分野】
【０００１】
本発明は、画像形成装置用の駆動装置と、それを用いた画像形成装置に関する。
【背景技術】
【０００２】
画像形成装置の駆動装置であって、タイミングプーリを用いた駆動伝達装置においては、タイミングプーリの歯飛びを防止するため、適当な張力を加えている。特に電子写真方式を用いた複写機、プリンタ等の画像形成装置用の回転体駆動機構に関しては、その張力が大きすぎると回転体以外の非駆動部分で発生する不可変動や振動等がタイミングプーリを介して回転体に伝達するノイズが増大し、用紙搬送部材や感光体の周速に速度ムラが生じるためである。
【０００３】
そのような速度ムラは、形成する画像に悪影響を及ぼす場合がある。特に感光体駆動系においてはその影響が大きい。そのためタイミングプーリに加える張力は適当なものでなければいけない。
【０００４】
タイミングプーリに加える張力はスプリングを介したアイドラプーリによって加えられ、張力は前記スプリングによって調整される。張力調整後、アイドラプーリは筐体に固定されるのであるが、固定する際のモーメント力がアイドラプーリ支持体に加わることにより、アイドラプーリの位置が移動して調整値と異なってしまうことがある。
【０００５】
特許文献１には、タイミングベルトを使用した感光体ドラム駆動装置であって、引張りコイルばねで初期張力を与えた後、アイドラプーリの調整方向に平行な筐体の面にネジで固定（プーリと支持部材間に弾性部材あり）する技術が開示されている。また特許文献２には、ベルト張力自動調整機構であって、側板に固定された直角曲げのあるブラケットに、プーリ支持板をプーリの調整方向に平行な面で固定するものが開示されている。さらに特許文献３には、ホースのプーリブラケットに関し、プーリ軸固定用長穴の長手方向に直角な面でブラケットを筐体に固定するものが開示されている。そして特許文献４には、歯車と軸の組み付け方法であって、位置決め後、上方から押さえて固定する例が記載されている。
【特許文献１】特開2003-345177号公報
【特許文献２】特開平08-093868号公報
【特許文献３】特許第02720708号
【特許文献４】特開平11-347858号公報
【発明の開示】
【発明が解決しようとする課題】
【０００６】
本発明はこのような従来の問題点にかんがみ、アイドラプーリが架張方向に移動することを抑制することで、タイミングプーリに余計な張力加わることを防止し、より良好な画像を得られる駆動装置と、これを用いた画像形成装置を提供することを目的とする。
【課題を解決するための手段】
【０００７】
本発明は、アイドラプーリ支持部材が筐体に固定される際、締結部材を介して伝わるモーメント力によりアイドラプーリが架張方向に移動することを抑制し、タイミングプーリに余計な張力加わることを防止する。
【０００８】
具体的には、本発明の請求項１に係る画像形成装置用の駆動装置は、複写機、プリンタ等の画像形成装置用の駆動装置であって、駆動モータと回転体との駆動連結をタイミングベルトにより行う駆動装置において、前記タイミングベルトへ適正な初期張力を付与し、筐体に固定するアイドラプーリ支持部材に、前記アイドラプーリ移動方向に対して垂直な接触面を設け、該接触面を前記筐体に対して押圧しながら前記アイドラプーリ支持部材を前記筐体に固定可能としたことを特徴とする。
【０００９】
同請求項２に係るものは、請求項１に記載の画像形成装置用の駆動装置において、前記接触面が前記アイドラプーリ支持部材の両翼に広がる平面状の部位であることを特徴とする。
【００１０】
同請求項３に係るものは、請求項１に記載の画像形成装置用の駆動装置において、前記アイドラプーリ支持部材及び前記筐体に前記アイドラプーリ移動方向に平行に沿って伸び、かつ前記アイドラプーリ固定方向に垂直に立設した接触面を設け、前記接触面を前記筐体に対して押圧しながら前記アイドラプーリ支持部材を前記筐体に固定可能としたことを特徴とする。
【００１１】
同請求項４に係るものは、請求項２に記載の画像形成装置用の駆動装置において、前記アイドラプーリを支持部材を介して前記筐体に取り付ける構造であり、前記前記アイドラプーリを前記支持部材の背面に取り付けるものとし、前記支持部材に前記アイドラプーリを取り付ける締結部材の固定方向に垂直な接触面を構成し、該接触面を前記支持部材へ押圧しながら固定可能としたことを特徴とする。
【００１２】
本発明の請求項５に係る画像形成装置は、請求項１から４のいずれかの画像形成装置用の駆動装置を用いたことを特徴とする。
【００１３】
同請求項６に係るものは、請求項５の画像形成装置において、前記駆動装置の駆動対象が感光体等の像担持体であることを特徴とする。
【発明の効果】
【００１４】
本発明は、アイドラプーリ支持部材が筐体に固定される際、締結部材を介して伝わるモーメント力によりアイドラプーリが架張方向に移動することを抑制し、タイミングプーリに余計な張力加わることを防止することが可能になる。
【発明を実施するための最良の形態】
【００１５】
以下本発明を実施するための最良の形態を、図に示す実施例を参照して説明する。
【実施例１】
【００１６】
図１は、本発明に係る画像形成装置の一実施形態を概念的に示す断面図である。本実施形態の画像形成装置は主に、原稿を読み取る読み取りユニット１１、画像を形成する画像形成部１２、自動原稿搬送装置（ＡＤＦ）１３、ＡＤＦ１３から送り出される原稿をスタックする原稿排紙トレイ１４、給紙カセット１５ないし１８を備える給紙部１９、記録用紙をスタックする排紙部（排紙トレイ２０）により構成してある。
【００１７】
そして、ＡＤＦ１３の原稿台２１上に原稿Ｄをセットして図示せぬ操作部での操作、例えばプリントキーの押下操作をすると、最上位の原稿Ｄがピックアップローラ２２の回転により矢印Ｂ１方向へ送り出され、原稿搬送ベルト２３の回転により、画像読み取りユニット１１に固定されたコンタクトガラス２４上へ給送され、そこで停止する。コンタクトガラス２４上に載置された原稿Ｄの画像は、画像形成部１２とコンタクトガラス２４の間に位置する読み取り装置２５によって読み取る。読み取り装置２５は、コンタクトガラス２４上の原稿Ｄを照明する光源２６、原稿画像を結像する光学系２７、原稿画像を結像させるＣＣＤ等からなる光電変換素子２８等を有している。画像読み取り終了後、原稿Ｄを原稿搬送ベルト２３の回転により矢印Ｂ２方向へ搬送して原稿排紙トレイ１４上へ排出する。このように、原稿Ｄを１枚ずつコンタクトガラス２４上へ給送して原稿画像を画像読み取りユニット１１によって読み取る。
【００１８】
一方、画像形成部１２の内部には、像担持体である感光体３０が配置してある。感光体３０は、図において時計方向に回転駆動し、帯電装置３１によって表面を所定の電位に帯電させる。また、書き込みユニット３２からは、読み取り装置２５によって読み取った画像情報に応じて光変調したレーザ光Ｌを照射し、帯電させた感光体３０の表面をこのレーザ光Ｌで露光し、これによって感光体３０の表面に静電潜像を形成する。この静電潜像は、現像装置３３を通るとき、対向する転写装置３４によって感光体３０と転写装置３４の間に給送された記録媒体Ｐに転写する。トナー像転写後の感光体３０の表面は、クリーニング装置３５によって清掃する。
【００１９】
画像形成部１２の下部に配置した複数の給紙カセット１５ないし１８には、紙等の記録媒体Ｐを収容してあり、いずれかの給紙カセット１５ないし１８から記録媒体Ｐを矢印Ｂ３方向へ送り出し、その記録媒体Ｐの表面に、上述のように感光体３０の表面に形成したトナー像を転写する。次に、記録媒体Ｐを矢印Ｂ４で示すように画像形成装置内の定着装置３６を通し、熱と圧力の作用によって記録媒体Ｐの表面に転写されたトナー像を定着させる。定着装置３６を通った記録媒体Ｐを排出ローラ対３７によって搬送し、矢印Ｂ５で示すように排紙トレイ２０へ排出し、スタックする。
【００２０】
図２は、本発明に係る駆動装置の第１の実施例を概略的に示す正面図である。この図において、図示しない駆動モータからギヤ連結にて回動するモータ側タイミングプーリ１０１と感光体ドラム３０等の回動体側プーリ１０２を連結するタイミングベルト１０３へ初期張力を付与するために、アイドラプーリ１０４が設けてある。
【００２１】
このアイドラプーリ１０４は、支持部材１０５上の支軸１０６へ回動自在に取り付けられている。支持部材１０５は、支持部材１０５に設けた摺動穴１０７の部分で締結部材１０８を介して図示しない筐体等へ固定する構成となっているが、これを固定する際は、加圧部材１０９によりタイミングベルト１０３に対して適正な初期張力を与えるようにする。なお支持部材１０５は図示しない筐体等への接触面部Ａ、Ａを有しており、接触面部Ａを作業者の指などで押すことによって支持部材１０５を筐体等に対して加圧しながら固定することで、締結部材１０８の締め付けの際に発生するモーメント力Ｍから締結部材１０８がＺ方向、すなわち紙面垂直方向へ移動することを抑制できる。
【００２２】
すなわち本例は、アイドラプーリ１０４の支持部材１０５を筐体に固定する際、締結部材１０８を介して伝わるモーメント力Ｍによりアイドラプーリ１０４がタイミングベルト１０３の架張方向に移動することを抑制し、タイミングプーリ１０１に余計な張力が加わることを防止ししているのである。
【実施例２】
【００２３】
図３、図４は、本発明の第２の実施例を示す正面図と平面図である。これらの図において、アイドラプーリ１０４はモータ側タイミングプーリ１０１の支持部材１１０の背面に取り付けられている。そこで本実施例では、支持部材１１０とアイドラプーリ１０４の支持部材１０５ｂに摺動穴１０７に平行かつ、締結部材１０８固定方向に垂直な接触面Ｂを構成し、接触面Ｂを作業者の指などで支持部材１０５ｂをＸ方向に加圧しながら固定することで、アイドラプーリ１０４がＺ方向へ移動することを抑制可能としている。
【００２４】
特に上述の構成を感光体ドラム駆動装置に用いた場合、この効果は大きい。そこで、図５に示す感光体ドラム駆動モータ１１１、感光体駆動プーリ、タイミングベルト、アイドラプーリ等を備えた感光体プーリユニット１１２、感光体ドラム駆動プーリ１１３、感光体軸１１４を備えたドラム駆動装置において、アイドラプーリ支持部材を加圧しながら固定した場合と、そうでない場合での出力画像の比較を行った。支持部材を加圧しながら固定した場合では画像ムラがほとんど発生しなかったのに対して、加圧せず固定した場合は画像ムラが発生してしまった。加圧時、非加圧時の比較として非加圧時支持部材固定後の移動は０．９ｍｍであった。
【００２５】
また、タイミングベルト１０３の張力の差では、タイミングベルト１０３を２．５ｍｍ押し下げるのに必要な力は、加圧時０．２９Ｎに対して非加圧時は０．６９Ｎであった。このことから支持部材を加圧しながら固定することで、固定時のモーメント力による支持部材の移動を抑制し、ある所からタイミングベルト１０３に係る加圧力に比例して増大する画像ムラを防止することができる.
【００２６】
すなわち、本発明に係る駆動装置においては、タイミングベルトへの初期張力を付与するアイドラプーリを弾性部材を介して筐体等へ固定する際、アイドラプーリ支持部材を筐体に加圧しながら固定することで、締結部材固定の際発生するモーメント力によりアイドラプーリ支持部材がタイミングベルト加圧方向に移動することを抑制できるので、タイミングベルトへの加圧力が増大し、タイミングベルトを介して回転体に伝達する負荷変動、振動等に起因する回転体速度ムラが増加するのを防止することができる。
【００２７】
また、アイドラプーリ支持部材を筐体等に固定する際、加圧する接触面を摺動穴に平行かつ、取り付け方向に垂直に構成することで支持部材が取り付ける今日対等の背面に存在しても固定の際容易に加圧することができる。
【００２８】
さらに、特に感光体駆動装置に用いることで、タイミングベルトを介して回転体に伝達する回転体速度ムラに起因する画像ムラの発生を防止し,良好な画像を得ることができる。
【図面の簡単な説明】
【００２９】
【図１】本発明に係る画像形成装置の一実施形態を概念的に示す断面図
【図２】本発明に係る駆動装置の第１の実施例を概略的に示す正面図
【図３】本発明の第２の実施例を示す正面図
【図４】同平面図
【図５】本発明を感光体ドラム駆動装置に用いた例を示す斜視図
【符号の説明】
【００３０】
１１  読み取りユニット
１２  画像形成部
１３  自動原稿搬送装置（ＡＤＦ）
１４  原稿排紙トレイ
１５〜１８  給紙カセット
１９  給紙部
２０  排紙部（排紙トレイ）
２１  原稿台
Ｄ  原稿
２２  ピックアップローラ
２３  原稿搬送ベルト
２４  コンタクトガラス
２５  読み取り装置
２６  光源
２７  光学系
２８  光電変換素子
３０  感光体
３１  帯電装置
３２  書き込みユニット
３３  現像装置
３４  転写装置
３５  クリーニング装置
３６  定着装置
３７  排出ローラ対
１０１  モータ側タイミングプーリ
１０２  回動体側プーリ
１０３  タイミングベルト
１０４  アイドラプーリ
１０５  支持部材
１０６  支軸
１０７  摺動穴
１０８  締結部材
１０９  加圧部材
１１０  支持部材
１０５ｂ  支持部材
１１１  感光体ドラム駆動モータ
１１２  感光体プーリユニット
１１３  感光体ドラム駆動プーリ
１１４  感光体軸
Ａ  接触面部
【図１】
2007079191.tif 000003
【図２】
2007079191.tif 000004
【図３】
2007079191.tif 000005
【図４】
2007079191.tif 000006
【図５】
2007079191.tif 000007